(57)【特許請求の範囲】
【請求項１】
側溝の外側壁に沿って設けられる側溝用小動物脱出誘導ブロックであって、踊り場壁、該踊り場壁から一方向に上方に向け設けられた脱出誘導傾斜壁、前記踊り場壁及び脱出誘導傾斜壁を囲む側壁、及び前壁からなり、前記踊り場壁の両側に立設した両側壁に、踊り場と側溝内とを連通する開口部を形成することができる破砕可能な弱化部を設けたことを特徴とする側溝用小動物脱出誘導ブロック。
【請求項２】
前記弱化部が薄肉部である請求項１記載の側溝用小動物脱出誘導ブロック。
【請求項３】
側溝の外側壁に沿って設けられる側溝用小動物脱出誘導ブロックであって、前壁、後壁、該前壁と後壁間に設けられた両側壁、前記前壁の下辺から内方に向けて水平に形成された第１踊り場壁、後壁の頂辺から内方に向け水平に形成された第２踊り場壁、前記踊り場壁内方端辺同士を連結して形成された脱出誘導傾斜壁からなり、一方の側壁には第１踊り場と側溝内とを連通する第１開口部が形成され、且つ他方の側壁には第２踊り場と側溝内とを連通する第２開口部が形成され、前後方向に反転させることにより左右何れの側に敷設された側溝にも適用できることを特徴とする側溝用小動物脱出誘導ブロック。
【請求項４】
前記脱出誘導傾斜壁は両面が粗面に形成されている請求項３記載の側溝用小動物脱出誘導ブロック。
【請求項５】
前記側溝用小動物脱出誘導ブロックは、両側の側壁を除去した状態で前記脱出誘導傾斜壁の中点を中心に点対称に形成されている請求項３又は４記載の側溝用小動物脱出誘導ブロック。
【発明の詳細な説明】
【０００１】
【発明の属する技術分野】
本発明は、側溝に落下した小動物が容易に地上に脱出できるように側溝に連接して設けられる側溝用小動物脱出誘導ブロック、特に道路の左右何れの側に敷設された側溝にも適用できる側溝用小動物脱出誘導ブロックに関する。
【０００２】
【従来の技術】
従来、山間部等で側溝に落下した小動物が容易に脱出することができる小動物脱出路付き側溝は、本出願人等によって提案されている。従来の脱出路付側溝は、一方向に傾斜する脱出路を側溝の一側又は両側に設けてあるもの（実公平５−２３６６７号、実開平４−８２０８５号）、又は両方向に傾斜する脱出路を側溝内の片側に設けたもの（実開平６−７９８８３号）が知られている。
【０００３】
【発明が解決しようとする課題】
側溝に落下した小動物は、側溝内を上流に向かって移動して脱出しようとする習性がある。そのため、脱出路は下流側から上流側に向けて上昇傾斜するように設ける（条件１）のが、小動物の脱出に取って有効であり望ましい。また、小動物が道路側に脱出することがないように脱出路は道路と反対側に設けなければならない（条件２）。しかしながら、従来の脱出路が一方向にしか傾斜してないものは、同じ種類のブロックを道路の両側に設けてある側溝に適用すると脱出路の傾斜方向が一方は逆となるため、上記の２条件を同時に満たすことはできない。従って、上記２条件を満たすためには、道路の左側側溝用と右側側溝用に、脱出路が互いに反対側になるように設けられた２種類の脱出路付側溝を必要とする。その結果、２種類の成形型を必要としコストが高くなると共に、現場でも常に２種類の側溝を用意しなければならないので、管理や取扱が面倒であるという問題点がある。
【０００４】
一方、脱出路が両方向に傾斜するように設けられたものは、１種類の脱出路付側溝で道路の両側の側溝に適用できるが、その場合次のような問題点がある。即ち、小動物脱出路付側溝が敷設される場所は、傾斜が多い山間部の道路が主であるが、このような傾斜の激しい場所に両方向に傾斜した脱出路付側溝を敷設すると、水流が多くなった場合、下流側に向けて傾斜している脱出路から溢水して側溝外に流出してしまい、側溝としての機能が失われてしまう。
【０００５】
本発明は、上記実情に鑑み創案されたものであって、１種類の小動物脱出誘導ブロックで、道路の左右何れの側の側溝に適用しても小動物を効果的に脱出させることができ、且つ傾斜の激しい場所に敷設された側溝に適用しても小動物脱出路から水が流出してしまうおそれがなく、しかも低コスト且つ取扱が容易である側溝用小動物脱出誘導ブロックを提供することを目的とする。
【０００６】
【課題を解決するための手段】
上記課題を解決する本発明の側溝用小動物脱出誘導ブロックは、側溝の外側壁に沿って設けられるものであって、踊り場壁、該踊り場壁から一方向に上方に向け傾斜する脱出誘導傾斜壁、前記踊り場壁及び前記脱出誘導傾斜壁を囲む側壁、及び前壁からなり、前記踊り場壁の両側に立設した両側壁に、踊り場と側溝内とを連通する開口部を形成することができる破砕可能な弱化部を設けたことを特徴とする。前記弱化部は薄肉部に形成することが望ましい。
【０００７】
また、上記課題を解決する本発明の他の側溝用小動物脱出誘導ブロックは、前壁、後壁、該前壁と後壁間に設けられた両側壁、前記前壁の下辺から内方に向けて水平に形成された第１踊り場壁、後壁の頂辺から内方に向け水平に形成された第２踊り場壁、前記踊り場壁内方端辺同士を連結して形成された脱出誘導傾斜壁からなり、一方の側壁には第１踊り場と側溝内とを連通する第１開口部が形成され、且つ他方の側壁には第２踊り場と側溝内とを連通する第２開口部が形成され、前後方向に反転させることにより左右何れの側に敷設された側溝にも適用できることを特徴とする。
【０００８】
前記脱出誘導傾斜壁は両面が粗面に形成されているのが望ましく、且つ側溝用小動物脱出誘導ブロックは、両側の側壁を除去した状態で前記脱出誘導傾斜壁の中点を中心に点対称になるような形状に形成されているのが望ましい。
【０００９】
【発明の実施の形態】
以下、本発明の実施の形態を図面に基づいて詳細に説明する。
図１〜図５は本考案の側溝用小動物脱出誘導ブロックの第１の実施の形態を示し、図中１は、側溝用小動物脱出誘導ブロックであり、踊り場壁２、該踊り場壁から一方向に上方に傾斜する脱出誘導傾斜壁３、前記踊り場壁及び脱出誘導傾斜壁の両側に設けられた側壁４、５及び前壁６からなる。そして、前記踊り場壁２の両側に立設した両側壁に、側溝開口部と連通する開口部を形成することができる破砕可能な弱化壁部７、８が形成されている。前記弱化壁部は、本実施形態では、図４に明示されているように、ハンマー等で叩くことによって容易に破断除去できる程度の厚さの薄肉壁として形成されている。
【００１０】
脱出誘導傾斜壁３の表面には、本実施形態では平行な筋状の凸凹が形成され、小動物が滑ることなく、容易に脱出できるようにしてある。しかしながら、必ずしも平行な筋状の凸凹でなくても、任意形状の凸凹や梨地状の粗面に形成しても良い。また、前記弱化壁部は、必ずしも弱化壁部全体が薄壁に形成する必要はなく、例えば、弱化壁部を囲うように壁厚さ方向の途中まで切り込んだ連続線状の切込線を形成しても良い。
【００１１】
本実施形態の側溝用小動物脱出誘導ブロックは、以上のように構成され、図５に示すように、道路の両側に敷設された側溝１０、１１に沿って設けられる。側溝用小動物脱出誘導ブロック１が敷設される側溝には、道路と反対側の側壁に小動物脱出穴１２、１３が形成されている側溝を採用する。該側溝は下流側・上流側の方向性がないので、一種類のみで道路の左右の側溝に適用できる。
【００１２】
図５（ａ）のように下流側に向かって右側の側溝１０に連接して側溝用小動物脱出誘導ブロック１を敷設する場合は、図１において、上側の側壁５の弱化壁部８を現場で破砕除去することによって、踊り場に通じる開口を形成して、図示のように設置する。また、図５（ｂ）のように左側の側溝に連接して敷設する場合は、図１において、下側の側壁４の弱化壁部７を破砕除去することによって、踊り場に通じる開口を形成して、図示のように設置することができる。
【００１３】
従って、本発明によれば、その敷設場所に応じて左右何れかの弱化壁部を破砕除去することによって、１種類のブロックで道路の両側の側溝に適用できるブロックが得られる。その結果、左右何れの側溝に設けた場合でも、道路と反対側で側溝底壁と踊り場壁が開口部を介して連通状態となり、且つ上流側に向けて上昇傾斜する脱出誘導傾斜壁が形成され、側溝内を側壁に沿って上流側に進もうとする小動物は、側壁の開口部に到達すると、その習性により自然と踊り場に誘導され、そのまま脱出誘導傾斜壁に進み外部に脱出することができ、且つ左右何れの側に敷設された場合も、脱出誘導傾斜壁は上流側に上向き傾斜状態となるので、例え傾斜の激しい場所に敷設しても、該脱出誘導傾斜壁から外部に水が流出することはない。
【００１４】
図６〜図８は、本発明の側溝用小動物脱出誘導ブロックの他の実施形態を示す。本実施形態の側溝用小動物脱出誘導ブロック２０は、図６の斜視図に示すように、図６（ａ）に示す状態から前後方向に１８０°反転させると同図（ｂ）に示す状態となり、前後に反転することにより、上下何れの側でも脱出誘導傾斜壁を形成できるようになっている。同図において矢印Ｆで示す方向に水が流れるとすると、同図（ａ）が道路の左側に設置された側溝に取り付ける場合を示し、同図（ｂ）は道路の右側に設置された側溝に取り付ける場合を示している。
【００１５】
図中、１８は前壁、１９は後壁であり、前壁１８の下辺から内方に向けて水平に第１踊り場壁２１が形成され、後述するように側溝内と通じる第１踊り場を構成する。また、後壁１９の後壁の頂辺から内方に向け水平に第２踊り場壁２２が形成され、前後方向に反転させたとき、側溝内と通じる第２踊り場を形成する。２３は前記第１及び第２踊り場壁内方端辺同士を連結して形成された脱出誘導傾斜壁であり、その両面は小動物が滑ることなく容易に脱出できるように、粗面に形成されている。
【００１６】
２４は第１踊り場壁２１と脱出誘導傾斜壁２３の側縁に沿って設けられた片側の側壁である。該側壁２４は、第２踊り場壁２２に面する部分には設けられてなく、第２踊り場に面する部分は開口して、後述するように側溝に通じる第２開口部２５となっている。２６は第２踊り場壁２２と脱出誘導傾斜壁２３の側縁に沿って設けられた他側の側壁であり、該側壁２６は第１踊り場壁２１に面する部分には設けられてなく、第１踊り場に面する部分は開口して、側溝に通じる第１開口部２７となっている。
【００１７】
なお、本実施形態では、側溝用小動物脱出誘導ブロック２０を前後に反転した場合、前記第１開口部２７と第２開口部２５が反対側に位置することを除けば、全く同じ形状となるように、踊り場及び開口部は合同な形状に形成されている。従って、両側の側壁を除去した状態では、脱出誘導傾斜壁２３の中点を中心に点対称となっている。それにより、左右両側の側溝に全く同じように敷設することができる。なお、本実施形態の構成要素の説明において、前壁、後壁、下辺、上辺等の用語は、説明の便宜上使用したものであり、必ずしもその方向位置を意味するものではない。
【００１８】
本実施形態の側溝用小動物脱出誘導ブロック２０は、以上のように構成され、道路の左側に敷設した側溝に設ける場合は、図６（ａ）に示す状態で前記実施形態における図５（ｂ）に示すように、第１踊り場壁２１が第１開口部２７及び側溝の開口部を介して側溝内の底壁と連通するように設置して敷設する。それにより、側溝用小動物脱出誘導ブロックは前記の２条件を満たした状態となり、小動物を効果的に脱出させることができる。また、道路の右側に敷設した側溝に設ける場合は、図６（ａ）の状態から前後方向に反転して同図（ｂ）に示す状態にして、前記実施形態における図５（ａ）に示すのと同じように敷設することができ、１種類の側溝用小動物脱出誘導ブロックで左右何れの側溝にも前記２条件を満たして設けることができる。しかも、敷設した状態では、小動物脱出用傾斜壁は、必ず上流側に上向傾斜しているので、傾斜地に敷設した側溝に適用しても該小動物脱出用傾斜壁を伝って水が溢流することがない。
【００１９】
以上、本発明に係る側溝用小動物脱出誘導ブロックの好適な実施形態を説明したが、本発明は上記実施形態に限るものでなく、その技術的思想の範囲内で種々の設計変更が可能である。例えば、第２実施形態における側壁は、材料費を節約すると共に軽量にするために、側溝内を流れる水が外部に漏れるのを防止するに必要な部分のみに形成して、第１開口部及び第２開口部の形状を大きく形成したが、例えば図６の仮想線２９、３０で示す位置まで、側壁を形成するようにしても良い。また、第１実施形態の図２に示すように、窓状に開口部を形成するようにしても良い。一方、第１実施形態においても、弱化壁部７、８の上辺が側壁の上辺に達するように形成しても良い。
【００２０】
【発明の効果】
請求項１記載の発明の側溝用小動物脱出誘導ブロックによれば、その敷設場所に応じて左右の何れかの弱化壁部を破砕除去することによって、１種類のブロックで道路の両側の側溝に適用できる。そして、左右何れの側溝に敷設した場合でも、上流側に向けて上昇傾斜する脱出誘導傾斜壁が形成され、且つ道路と反対側に形成されるので、小動物を良好に外部に脱出することができる。また、脱出誘導傾斜壁は上流側に上向き傾斜状態となるので、例え傾斜の激しい場所に敷設しても、該脱出誘導傾斜壁から外部に水が流出することはない。
【００２１】
また、請求項３記載の側溝用小動物脱出誘導ブロックによれば、その敷設場所に応じて単に前後に反転することによって、１種類のブロックで道路の両側の側溝に適用できる。且つ前記発明の側溝用小動物脱出誘導ブロックと同様な作用効果を奏する。
【００２２】
さらに、本発明の側溝用小動物脱出誘導ブロックは、側溝と別体に形成されているので、その分小型軽量に形成することができ、取扱易い。
【図面の簡単な説明】
【図１】本発明の実施形態に係る側溝用小動物脱出誘導ブロックの平面図である。
【図２】その正面図である。
【図３】図１におけるＡ−Ａ断面図である。
【図４】図１におけるＢ−Ｂ断面図である。
【図５】上記側溝用小動物脱出誘導ブロックの側溝への敷設状態を示し、（ａ）は道路の右側に敷設された側溝に設けた場合、（ｂ）は道路の左側に敷設された側溝に設けた場合の斜視図である。
【図６】（ａ）は本発明の他の実施形態に係る側溝用小動物脱出誘導ブロックの斜視図であり、（ｂ）は（ａ）の状態から前後方向に反転した状態での斜視図である。
【図７】図６におけるＣ−Ｃ断面図である。
【図８】図７におけるＤ−Ｄ断面図である。
【符号の説明】
１，２０  側溝用小動物脱出誘導ブロック
２  踊り場壁
３，２３  脱出誘導傾斜壁
４，５，２４，２６  側壁
６，１８  前壁
７，８  弱化壁
２１  第１踊り場壁
２２  第２踊り場壁
２５  第２開口部
２７  第１開口部
【図１】
0003609163.tif 000002
【図２】
0003609163.tif 000003
【図３】
0003609163.tif 000004
【図４】
0003609163.tif 000005
【図５】
0003609163.tif 000006
【図６】
0003609163.tif 000007
【図７】
0003609163.tif 000008
【図８】
0003609163.tif 000009